(57)【特許請求の範囲】
【請求項１】
排水経路または循環経路に糸くず捕獲用のリントフィルタを有するドラム式洗濯機において、前記リントフィルタにて捕獲した糸くずをフィルタから除去してくず塊とする糸くず除去手段を設けたドラム式洗濯機において、
前記リントフィルタは、上方に向かって開放断面を有する筒形状を有し、
前記糸くず除去手段は、後方のモータによる駆動源と、前記モータと連結されている螺旋状のブラシとを備え、
前記糸くず除去手段の前記駆動源を起動させるスイッチが設けられ、
前記モータに通電して前記ブラシを回転させると、前記リントフィルタのフィルタ表面に捕獲されている糸くずがフィルタ表面から削ぎ取られるようにして前方へ送り出されることを特徴とするドラム式洗濯機。
【請求項２】
前記糸くず除去手段は、洗濯サイクル工程中または洗濯サイクル終了直後に自動的に起動されることを特徴とする請求項１に記載のドラム式洗濯機。
【請求項３】
前記モータに流れる電流値を検出するモータ電流検出部が設けられ、前記電流値が所定値を超えると糸くず量のお知らせ表示をすることを特徴とする請求項１に記載のドラム式洗濯機。
【発明の詳細な説明】
【技術分野】
【０００１】
本発明は、水槽に接続された排水経路又は水槽からの水を再度水槽に戻す循環経路にリントフィルタを有するドラム式洗濯機に関する。
【背景技術】
【０００２】
従来のドラム式洗濯機において、水槽に接続され且つ水槽からの水を再度水槽に戻す循環経路にはリントフィルタが設けられている。こうしたリントフィルタを有するドラム式洗濯機の一例が、特許文献１に開示されている。図７は循環経路にリントフィルタを有するドラム式洗濯乾燥機のフィルタケース及びその周辺部の概略断面図、図８は、清掃時の説明図である。
【０００３】
図７、図８に示すように、循環ポンプ３４は、フィルタケース２９の後方に位置するポンプケース７２と、このポンプケース７２内の液体（洗濯水）を循環ホース７へ送るポンプモータ７３とを有している。循環水の利用時には、排水弁３３が閉じた状態で循環ポンプ３４が稼働する。フィルタケース２９には流入口６４が設けられており、ポンプケース７２には、吸入口７４及び吐出口７５が設けられている。フィルタケース２９内には、樹脂製又は金属製のリントフィルタ３１と、リントフィルタ３１を着脱自在に支持する樹脂製の支持枠７６とが収容されている。支持枠７６の目は、リントフィルタ３１の目よりも粗くなっている。支持枠７６は、リントフィルタ３１とともにフィルタケース２９から取り出すことができる。
【０００４】
水槽から循環経路２８を経て循環ポンプ３４のポンプケース７２に水が流入する。ポンプケース７２にはフィルタケース２９が接続されており、水槽から送られる水に含まれる糸くずは、循環水がフィルタケース２９を通過する際に、フィルタケース２９内に設けられているリントフィルタ３１にて捕獲される。また、洗濯水を外箱外に排水する場合も、洗濯水がフィルタケース２９内のリントフィルタ３１を通過する。リントフィルタ３１は循環フィルタと排水フィルタとを兼ねている。
【０００５】
フィルタケース２９には雌ねじが形成されており、支持枠７６のツマミには雄ねじが形成されているので、リントフィルタ３１は、ダイヤル状のツマミを回転操作によってねじ込むまたはねじ戻すことによって、フィルタケース２９に着脱させることができる。捕獲された糸くずは、フィルタケース２９からリントフィルタ３１を取り外し、取り外したリントフィルタ３１から使用者が手で削ぎ取ることになる。
【０００６】
しかしながら、このような従来のドラム式洗濯機においては、リントフィルタに捕獲された糸くずをフィルタから除去する作業は手間がかかるものであり、使用者が爪を伸ばしている、或いは捕獲した糸くずが乾燥してリントフィルタ３１にへばり付いている場合には、その作業は更に困難なものとなる。また糸くずの捕獲量は、リントフィルタ３１を取り外さないとわからない。
【０００７】
【特許文献１】特開２００６−２６２９６９号公報
【発明の開示】
【発明が解決しようとする課題】
【０００８】
そこで、排水経路または循環経路に糸くず捕獲用のリントフィルタを有するドラム式洗濯機において、リントフィルタで捕獲された糸くずの除去を容易にするため、フィルタに捕獲された糸くずを塊状化する点で解決すべき課題がある。
【０００９】
この発明の目的は、リントフィルタで捕獲された糸くずを取り扱いやすいように塊状化し、当該リントフィルタから容易に除去することを可能にするドラム式洗濯機を提供することである。
【課題を解決するための手段】
【００１０】
上記の課題を解決するため、本発明のドラム式洗濯機は、排水経路または循環経路に糸くず捕獲用のリントフィルタを有するドラム式洗濯機において、前記リントフィルタにて捕獲した糸くずをフィルタから除去してくず塊とする糸くず除去手段を設けたことを特徴とする。
【００１１】
このドラム式洗濯機によれば、リントフィルタにて捕獲された糸くずは、糸くず除去手段によりフィルタから除去されてくず塊とされるので、使用者は、リントフィルタにて捕獲した糸くずをフィルタ面から指で取り除く必要がない。くず塊として纏められた糸くずは取扱いが容易であり、使用者は、くず塊をリントフィルタから容易に分離し、廃棄することがきる。
【００１２】
また、このドラム式洗濯機において、糸くず除去手段は、モータなどの駆動源と当該駆動源により動作されるブラシとを備えることができる。モータなどの駆動源によって作動されるブラシは、リントフィルタに捕獲された糸くずをフィルタ面から削ぎ取り、削ぎ取った糸くずを掻き集めて塊とする。
【００１３】
また、このドラム式洗濯機において、前記リントフィルタは筒状フィルタであり、駆動源は回転出力を出力し、ブラシは当該回転出力によって回転動作され前記筒状フィルタの内面に沿って回転するように配設された螺旋ブラシとすることができる。筒状のリントフィルタに内設された螺旋ブラシは、駆動源によって回転されるときに、リントフィルタに捕獲された糸くずをフィルタ面から削ぎ取りながらリントフィルタの筒軸方向に送り出す。送り出された糸くずは、筒の端部でくず塊として纏められる。
【００１４】
また、ブラシを駆動源により回転させた上記ドラム式洗濯機において、糸くず除去手段の前記駆動源を起動させるスイッチを設けることができる。ドラム式洗濯機の使用者は、スイッチの操作だけで、リントフィルタに捕獲された糸くずをフィルタ面から除去させることができる。スイッチは、ドラム式洗濯機の操作パネルに設けることが好ましいが、リントフィルタ収納部の近傍に配置することもできる。
【００１５】
また、ブラシを回転させる駆動源とそのスイッチを設けた上記ドラム式洗濯機において、スイッチを操作してから一定時間の間、駆動源を動作させることができる。このように駆動源を制御することにより、スイッチを操作して駆動源の作動をＯＮにすると、一定時間の間、駆動源が動作され、その一定時間経過後に駆動源の作動が自動的にＯＦＦするので、リントフィルタからの糸くず除去作業のための操作が簡便になり、使い勝手が更に向上する。
【００１６】
また、ブラシを駆動源により回転させた上記ドラム式洗濯機において、前記駆動源の起動を、洗濯サイクル工程中または洗濯サイクル終了直後に自動的に行うことができる。糸くずをリントフィルタから除去するタイミングは、糸くずが発生しやすい洗濯サイクル工程中、或いは糸くずの発生が一段落する洗濯サイクル終了後に自動的に行うことが好ましい。また、このようなタイミングで除去動作をすることで、リントフィルタで捕獲された除去すべき糸くずは、乾燥してフィルタ面に強固に付着したくずではなく、水で濡れた状態であってフィルタ面から比較的剥がれやすい糸くずであるので、糸くず除去手段によるリントフィルタからの糸くずの除去が容易になる。
【００１７】
また、ドラム式洗濯機において、前記リントフィルタから除去された糸くずの量が一定量に達したことに応答して、音又は表示等により使用者に報知することが好ましい。糸くずの量が一定量に達したことを使用者に報知することで、リントフィルタからの糸くずの除去のタイミングを使用者に自動的に知らせるとともに、糸くずの量が過大な量になる前にリントフィルタから糸くずを取り除いて、糸くず除去手段による糸くず捕獲機能を維持することができる。
【００１８】
更に、ドラム式洗濯機において、前記リントフィルタは、前記排水経路または循環経路の途中に設けられた開閉可能なリントフィルタ収納部に収納することができる。
【発明の効果】
【００１９】
本発明のドラム式洗濯機は上記のように構成されているので、リントフィルタに捕獲された糸くずは、糸くず除去手段により除去されて塊状となっており、廃棄し易いものとなる。したがって、使用者は、リントフィルタにて捕獲した糸くずをフィルタ面から指で取り除くという作業を強いられることがない。また、リントフィルタを筒状フィルタとし、糸くず除去手段をモータのような駆動源で回転駆動される螺旋ブラシとする場合には、筒状フィルタ内面に捕獲された糸くずは螺旋ブラシによって一方向に掻き出されて塊状になる。したがって、リントフィルタをドラム式洗濯機から取り外すことで、塊状の糸くずを簡単に廃棄することができ、使用者による糸くず除去作業を軽減することができる。
【発明を実施するための最良の形態】
【００２０】
本発明によるドラム式洗濯機の実施形態を、図面を参照して説明する。循環ポンプやリントフィルタの構造の説明に先立って、図５、図６Ａ〜６Ｃに基づいて本発明が適用されるドラム式洗濯機の基本構造について説明する。図５は本発明によるドラム式洗濯乾燥機の概略断面図であり、図６Ａ〜図６Ｃは、図５に示すドラム式洗濯乾燥機におけるフィルタケースおよびこの周辺部について、それぞれ、上方から見た概略図、側方から見た概略図、前方から見た概略図である。
【００２１】
ドラム式洗濯乾燥機は、外箱１と、外箱１内に配置された有底円筒形状の水槽２と、水槽２内に回転自在に配置されており洗濯物を収容する有底円筒形状のドラム３と、水槽２の後部に取り付けられておりドラム３を回転駆動するドラムモータ４と、洗濯物を乾燥させるための乾燥システム５と、水槽２の後部を弾性支持する２本のダンパ６とを備えている。
【００２２】
外箱１の前面部には外箱開口部１２が形成されており、外箱開口部１２は外箱１に回動自在に取り付けられたドア１３で開閉可能である。外箱１の前面部の大部分は前パネル１４からなり、外箱１の下部は底台１５で構成されている。また、外箱１の上部には、洗剤、漂白剤及び柔軟剤を収容する洗剤ケース１６と、操作キーや表示部を有する操作パネル１７とが設けられている。操作パネル１７の裏側（外箱１の内部側）には、ドラム式洗濯乾燥機の動作を制御する制御装置１８が配置されている。
【００２３】
前パネル１４には、フィルタケース８０の前方に位置する部分にメンテナンス用開口部７７が設けられている。メンテナンス用開口部７７には着脱可能にメンテナンスパネル７８が取り付けられており、メンテナンスパネル７８は、その装着状態では、メンテナンス用開口部７７を閉鎖している。
【００２４】
洗剤ケース１６には、水道水用給水路２０を通じて水道水用給水口１９に供給された水道水、または風呂水が風呂水用給水路２２を通じて風呂水用給水口２１に供給された風呂湯が選択的に流入される。水道水用給水路２０には給水弁２３が設けられている。また、上記風呂水用給水路２２には風呂水ポンプ２４が設けられている。
【００２５】
水槽２の前面部には水槽開口部２５が設けられている。水槽開口部２５の開口縁には、ゴムや軟質樹脂等の弾性体から成るパッキン２６が固着されている。閉じたドア１３は、パッキン２６に密着するので、水槽２内の液体が水槽２外へ漏れ出るのを防止する。水槽２は、水槽開口部２５が外箱開口部１２に対向するように横向きに配置されている。より詳しくは、水槽２の中心軸は水平方向に対して５°〜３０°の角度で傾斜している。水槽２の上部には給水ダクト２７が接続されているので、給水ダクト２７から水槽２内へ洗濯水（洗剤等を含む水道水または単なる水道水）が給水される。一方、水槽２の下部には、水槽２内の洗濯液等を外部に排水するための排水口６９が設けられている。排水口６９には排水ダクト２８の上端部が接続されている。
【００２６】
排水ダクト２８を流れた液体は、フィルタケース８０を通過した後、排水経路の一例としての排水ホース３０を流れて外箱１の外に出るか、または、循環ホース７を流れて水槽２内に戻る。
【００２７】
循環ホース７の上端部には、水をドラム３内へ噴射する循環ノズル８が接続されている。循環ホース７の下端部には、フィルタケース８０の後方に位置する循環ポンプ３４に接続されている。循環ホース７と排水ダクト２８とは循環経路の一例を構成している。
【００２８】
排水ホース３０のフィルタケース８０近傍の端部には、排水弁３３が取り付けられている。排水弁３３は、排水モータ３２によって開閉される。
【００２９】
ドラム３の回転軸は水平方向に対して５°〜３０°の角度を成すように傾斜している。ドラム３の前面部には、外箱開口部１２及び水槽開口部２５に対向するドラム開口部３６が形成されている。ドラム開口部３６は水槽開口部２５よりも大きな径を有している。また、ドラム３の周壁全域には複数の小孔３７が設けられている。小孔３７は、水槽２とドラム３との間の空間と、ドラム３内の空間との間で洗濯水や乾燥空気等を流通させるためのものである。また、ドラム３の内壁面には、半径方向内側に向かって突出するバッフル３８を設けている。バッフル３８は、周方向に例えば１２０°間隔で３ヶ所に配置され、ドラム３の回転に伴って洗濯物の持上げと落下とを繰り返す働きをする。また、ドラム３のドラム開口部３６を外側から取り囲む態様で、内部に液体が封入されている液体バランサ３９が設けられている。液体バランサ３９は、ドラム３の回転時に洗濯物及び洗濯液等の偏りにより生じようとするアンバランスを、封入液体の移動によって打消す。なお、小孔３７が連通孔の一例である。
【００３０】
乾燥システム５は、ファンユニット４０および温風ユニット４２を有している。また、図示しないが、乾燥システム５は、水槽２の下部とドラム３の下部と間に配置された除湿用熱交換プレートも有している。除湿用熱交換プレートは乾燥システム５の稼働時つまり乾燥運転時に冷却水で冷却される。冷却された除湿用熱交換プレートに、洗濯物から蒸発した水分を含む空気を接触させることにより、空気中の水分を凝縮させて除湿を行う。
【００３１】
ファンユニット４０は水槽２の後面下部に取り付けられている。ファンユニット４０は、除湿用熱交換プレートで除湿された空気が入るファンケース４３と、当該ファンケース４３内に収容された送風ファン４４と、当該送風ファン４４を回転駆動するファンモータ４５とで構成されている。ファンモータ４５は送風ファン４４と直結し、ダイレクトドライブ構造によって送風ファン４４を回転駆動する。
【００３２】
温風ユニット４２は、乾燥用ヒータ４７と、当該乾燥用ヒータ４７の大部分を収容する乾燥用ヒータケース４８と、乾燥用ヒータ４７で加熱された空気をドラム３内へ案内する送風ケース４９とから成っている。乾燥用ヒータ４７は、除湿用熱交換プレートの側方に位置するように、水槽２の下部とドラム３の下部との間に設置されて、ファンユニット４０の吹き出し空気を加熱する。つまり、除湿用熱交換プレートで除湿された空気は、ファンユニット４０によって乾燥用ヒータ４７に送られ、乾燥用ヒータ４７で加熱される。
【００３３】
送風ケース４９の吹出口（図示せず）は、水槽開口部２５の下縁とドラム開口部３６の下縁との間に位置している。これにより、送風ケース４９で案内された空気は吹出口からドラム３内へ向かって吹き出す。
【００３４】
図６Ａは、フィルタケース８０およびこの周辺部を上方から見た概略図である。図６Ａでは、排水ダクト２８や、後述するメンテナンスカバー６２、導圧パイプ６８および水位センサ７１の図示は省略している。フィルタケース８０にはエアトラップ６１および循環ポンプ３４が一体に設けられている。フィルタケース８０内の空間はエアトラップ６１内の空間と連通しており、フィルタケース８０内に入った水の一部がエアトラップ６１内に入るようになっている。循環ポンプ３４は、フィルタケース８０の後方に位置するポンプケース７２と、当該ポンプケース７２内の液体を循環ホース７へ送るポンプモータ７３とを有している。ポンプケース７２内の空間は接続ホース６３を介してフィルタケース８０内の空間と連通している。
【００３５】
図６Ｂは、フィルタケース８０およびこの周辺部を側方から見た概略図である。なお、接続ホース６３は断面で示している。フィルタケース８０の前部（前パネル１４側の部分）には、メンテナンスカバー６２が回動自在に取り付けられている。メンテナンスカバー６２の回動軸は水平方向に略平行であり、メンテナンスカバー６２がフィルタケース８０の下部を中心に上下方向に回動可能である。ポンプケース７２には吸込口７４および吐出口７５が設けられており、吸込口７４には接続ホース６３の上端部が接続され、吐出口７４には循環ホース７の下端部が接続されている。
【００３６】
図６Ｃは、フィルタケース８０およびこの周辺部を前方から見た概略図である。なお、フィルタケース８０及びこの周辺部の一部は断面で示している。フィルタケース８０は、流入口６４、第１の流出口６５及び第２の流出口６６を有している。流入口６４には排水ダクト２８の下端部が接続されている。また、第１の流出口６５には接続ホース６３の下端部が接続されている。第１の流出口６５から吐出された液体は、接続ホース６３、ポンプ室７２及び循環ホース７を順次流れる（図６Ｂ参照）。また、第２の流出口６６には排水ホース３０の一方の端部が接続されている。第１の流出口６５から吐出された液体は、排水ホース３０を流れて外箱１外へ排出される。
【００３７】
エアトラップ６１は、第１の流出口６５の上端と水槽２の下端との高低差に略等しい距離、離れている。つまり、エアトラップ６１の上面と水槽２の下端との間の距離は、第１の流出口６５の上端と水槽２の下端との間の距離に略等しい。より詳しくは、エアトラップ６１の上面は、水槽２の下端よりも下に位置する一方、エアトラップ６１の下面は、第１，第２の流出口６５，６６の上端よりも上に位置している。また、エアトラップ６１の上面にはこの上面に対して略垂直な円筒形状の接続口７０が設けられている。接続口７０には導圧パイプ６８を介して水位センサ７１が接続されている。
【００３８】
水位センサ７１は、コイルおよび磁性体を内部に有し、エアトラップ６１内の空気圧の変化に応じて磁性体がコイル内を移動する。水位センサ７１はコイル内の磁性体の位置により生じるコイルのインダクタンスを発振周波数として検出し、その発振周波数に基づいて水槽２内の水位を検知する。
【００３９】
リントフィルタ８１を清掃する等の場合、従来と同様の操作によって、リントフィルタ８１がフィルタケース８０から取り出される。即ち、前パネル１４のメンテナンス用開口部７７からメンテナンスパネル７８を取り外して、メンテナンスカバー６２を二点鎖線で示す位置に回動させる。リントフィルタ８１をフィルタケース８０から取り出して、清掃する。
【００４０】
リントフィルタ８１をフィルタケース８０から取り出す時、メンテナンスカバー６２が図６Ｂにおいて二点鎖線で示す位置にあるので、フィルタケース８０から溢れ出た水がメンテナンスカバー６２で外箱１外へ案内される。メンテナンスカバー６２の端部下に例えば洗面器を置いておけば、溢れ出た水を回収することができる。また、リントフィルタ８１は樹脂で構成されているから、従来のリントフィルタ３１に比べて破損し難くなっている。
【００４１】
図１は、本発明におけるドラム式洗濯機の循環ポンプ組品の斜視図、図２は図１に示した循環ポンプ組品の縦断面図、図３は図１に示した循環ポンプ組品の横断面図、図４は本発明におけるドラム式洗濯機の操作パネルの図である。図１〜図３においては、同等の構成要素には同じ符号を用いることで、その要素自体の再度の説明を省略する。
【００４２】
図１〜図３に示すドラム式洗濯機の循環ポンプ組品は、循環経路にリントフィルタ８１を設けたものである。フィルタケース８０は、その前方部にリントフィルタ収納部８２を有している。リントフィルタ８１は、上方に向かって開放断面を有する筒形状を有し、その筒壁面に複数の通水用孔を有している。また、リントフィルタ８１は、リントフィルタ収納部８２に収納可能であり、その前方部には、回転操作時に使用者の指で操作自在のツマミ８３を備えている。フィルタケース８０のリントフィルタ収納部８２の端部内面には雌ねじ８４が形成されている。ツマミ８３にはその外周面に、リントフィルタ収納部８２の雌ねじ８４に螺合可能な雄ねじ８５が形成されている。したがって、ツマミ８３を回転させることにより、リントフィルタ８１をリントフィルタ収納部８２に対して着脱することができる。
【００４３】
リントフィルタ８１の内部には螺旋状のブラシ８６が配設されている。ブラシ８６の螺旋軸８６ａは、リントフィルタ８１が有する筒状のフィルタ面についての仮想上の筒軸と一致している。ブラシ８６の後端部８７は駆動源としてのブラシ用モータ８８の出力軸８９と連結されている。したがって、ブラシ用モータ８８に通電することにより、螺旋状のブラシ８６はリントフィルタ８１のフィルタ面に摺接するように回転される。
【００４４】
ドラム式洗濯機の前面上部には電源スイッチ、スタート・一時停止、コース選択等を行う各種のスイッチを有する操作パネル１７が設けられている。本実施形態においては、操作パネル１７に、ブラシ用モータ起動用のフィルタ掃除スイッチ９０Ａと、糸くず量お知らせ表示９０Ｂとが付け加わっている。
【００４５】
次に、このドラム式洗濯機の動作について説明する。図９は、このドラム式洗濯機の動作を制御する制御部１００のブロック図である。循環経路２８から糸くずを含んだ水がフィルタケース８０に流入する。循環水に含まれ得る糸くずは、フィルタケース８０内に配設されているリントフィルタ８１にて捕獲される。そこで、操作パネル１７に設けられているフィルタ掃除スイッチ９０Ａが押されると、モータ駆動制御部１０１からの制御信号に基づいて、出力制御部１０５を介して、ブラシ用モータ８８が運転されてブラシ８６が回転する。ブラシ８６はらせん状に形成されているので、ブラシ８６を回転することにより、リントフィルタ８１のフィルタ表面に捕獲されている糸くずは、フィルタ表面から削ぎ取られるようにして、前方へ送り出される。フィルタ掃除スイッチ９０Ａが再度押されると、モータ駆動制御部１０１からの制御信号によりブラシ用モータ８８が停止する。フィルタ掃除スイッチ９０Ａを再度押さない場合でも、ブラシ用モータ８８は、タイマ機能１０２によって、フィルタ掃除スイッチ９０Ａを最初に押してから一定時間経過したときに停止する。
【００４６】
捕獲した糸くずの特性として、乾燥するほどリントフィルタ８１から除去が困難になる傾向にある。そこで、糸くず除去をできるだけ容易にするには、糸くずが濡れた状態でブラシ８６によってブラシ８６で掻き出すのがよい。そこで、洗濯サイクルの脱水中や脱水終了直後に糸くず除去を行うとより効果的である。制御部１００に備わる洗濯・脱水工程制御部１０３からの洗濯・脱水工程終了信号に基づいてブラシ用モータ８８が作動され、ブラシ８６により前方へ送り出された糸くずは、リントフィルタ８１の前方部において、くず塊として蓄積されていく。
【００４７】
リントフィルタ８１の前方部の糸くずの蓄積量が多くなってくると、糸くずを送り出す際に、蓄積した糸くずによってブラシ８６の回転に対する抵抗が大きくなり、ブラシ用モータ８８に流れる電流値も大きくなる。モータ電流検出部１０４がこの電流値を読み取ることによって、糸くずの蓄積量を判断できる。電流値が一定の値を超えたことに応じて、操作パネル１７にある糸くず量お知らせ表示９０Ｂが点灯するように回路構成されている。したがって、糸くず量お知らせ表示９０Ｂが点灯することにより、リントフィルタ８１の掃除が促される。使用者は、ツマミ８３を回転させてリントフィルタ８１をリントフィルタ収納部８２から取り出し、塊状の糸くずを廃棄することができる。
【００４８】
以上、この発明によるドラム式洗濯機の実施形態を説明したが、本発明は、特許請求の範囲で定められる事項の範囲内で種々に変更可能である。例えば、図５に示す横型のドラム式洗濯機は一つの型式であって、これに限定されるものではない。
【図面の簡単な説明】
【００４９】
【図１】本発明におけるドラム式洗濯機の循環ポンプ組品の斜視図である。
【図２】本発明におけるドラム式洗濯機の循環ポンプ組品の縦断面図である。
【図３】本発明におけるドラム式洗濯機の循環ポンプ組品の横断面図である。
【図４】本発明におけるドラム式洗濯機の操作パネルの図である。
【図５】本発明におけるドラム式洗濯乾燥機の概略断面図である。
【図６Ａ】図５に示すドラム式洗濯乾燥機のフィルタケースおよびこの周辺部を上方から見た概略図である。
【図６Ｂ】図５に示すドラム式洗濯乾燥機のフィルタケースおよびこの周辺部を側方から見た概略図である。
【図６Ｃ】図５に示すドラム式洗濯乾燥機のフィルタケースおよびこの周辺部を前方から見た概略図である。
【図７】従来のドラム式洗濯乾燥機のフィルタケースおよびその周辺部の概略断面図である。
【図８】従来のドラム式洗濯乾燥機におけるリントフィルタの取出しを示す説明図である。
【図９】本発明におけるドラム式洗濯機の制御部の一例を示すブロック図である。
【符号の説明】
【００５０】
１  外箱                              ２  水槽
３  ドラム                            ４  ドラムモータ
５  乾燥システム                      ６  ダンパ
７  循環ホース                        ８  循環ノズル
１２  外箱開口部                      １３  ドア
１４  前パネル                        １５  底台
１６  洗剤ケース                      １７  操作パネル
１８  制御装置                        ２８  排水ダクト
３０  排水ホース                      ３２  排水モータ
３３  排水弁                          ３４  循環ポンプ
６２  メンテナンスカバー              ６３  接続ホース
６４  流入口                          ６５  第１の流出口
６６  第２の流出口                    ７２  ポンプケース
７４  吸込口                          ７５  吐出口
７６  支持枠                          ７７  メンテナンス用開口部
７８  メンテナンスパネル
８０  フィルタケース                  ８１  リントフィルタ
８２  リントフィルタ収納部            ８３  ツマミ
８４  雌ねじ                          ８５  雄ねじ
８６  ブラシ                          ８７  後端部
８８  ブラシ用モータ                  ８９  出力軸
９０Ａ  フィルタ掃除スイッチ          ９０Ｂ  糸くず量お知らせ表示
１０１  モータ駆動制御部              １０２  タイマ
１０３  洗濯・脱水制御部              １０４  モータ電流検出部
１０５  出力制御部
【図１】
0004945396.tif 000002
【図２】
0004945396.tif 000003
【図３】
0004945396.tif 000004
【図４】
0004945396.tif 000005
【図５】
0004945396.tif 000006
【図６Ａ】
0004945396.tif 000007
【図６Ｂ】
0004945396.tif 000008
【図６Ｃ】
0004945396.tif 000009
【図７】
0004945396.tif 000010
【図８】
0004945396.tif 000011
【図９】
0004945396.tif 000012